Podtech/llm-jp-corpus-v4-ja_patent huggingface dataset:
(57)【要約】      （修正有）【課題】パズルの遊び方を知らない幼児でも、偶然嵌った時にその行為を見ていた大人が褒めたり、喜ぶことにより、幼児が嵌めることを覚えるようになるブロックパネルを提供する。【解決手段】特定パターンの刳り貫き部ａを有する板状ブロックＡと、刳り貫き部ａと相似形をなして該刳り貫き部ａに１〜３ｍｍの隙間を介して嵌め込むピースブロックＢとからなる嵌め合いブロックが複数用意されており、それらの嵌め合いブロックの各刳り貫き部ａがそれぞれ異なるパターンに形成されている。【選択図】図１
0003210775.tif 000002
【実用新案登録請求の範囲】
【請求項１】
特定パターンの刳り貫き部を有する板状ブロックと、前記刳り貫き部と相似形をなして該刳り貫き部に所定の隙間を介して嵌め込むピースブロックとからなる嵌め合いブロックが複数用意されており、それらの嵌め合いブロックの各刳り貫き部がそれぞれ異なるパターンに形成されていることを特徴とする嵌め合いブロックパズル。
【請求項２】
前記嵌め合いブロックが発泡性樹脂等で成形されたクッション材や硬質の板等からなり、該嵌め合いブロックを並べるとクッションマットが形成されることを特徴とする請求項１に記載の嵌め合いブロックパズル。
【請求項３】
前記各ピースブロックが円形や多角形等の簡単な形状の中から選ばれた一つの図形であることを特徴とする請求項１または２に記載の嵌め合いブロックパズル。
【請求項４】
前記隙間が１〜３ｍｍであることを特徴とする請求項１から３の何れかに記載の嵌め合いブロックパズル。
【考案の詳細な説明】
【技術分野】
【０００１】
本考案は幼児用のパズルをさらに、低年齢の幼児もしくは、手先が器用でない幼児でも、簡単に嵌めることができることを主眼においた幼児用玩具（パズル）に関するものである。
【背景技術】
【０００２】
簡単な幼児用パズルも、たくさんの種類が存在するが、そのどれもが隙間がほとんど無いようにつくられているため寸分違わずに合わさないと完成（嵌め合わすこと）が、できない物しかないため、はじめてパズルにとりかかる幼児や手先の器用でない幼児にとって完成させることは困難であった。
【０００３】
この改善策として、形状を簡単にしているパズルはあったが、隙間が少ないため外枠の形状にぴったり合わさないと、嵌め合わすことができなかった。
【先行技術文献】
【特許文献】
【０００４】
【特許文献１】特開２００２−１７７６６０号公報
【特許文献２】特開２０００−１８８２４２号公報
【考案の概要】
【考案が解決しようとする課題】
【０００５】
本考案は上記問題点を解決するためになされたものであり、嵌め合いブロックをきちんと合わせなくても、はめあわせることができ、低年齢の幼児や、手先の器用でない幼児でも、完成させることができる新たな嵌め合いブロックパズルを提供することを課題とする。
【課題を解決するための手段】
【０００６】
特定パターンの刳り貫き部を有する板状ブロックと、前記刳り貫き部と相似形をなして該刳り貫き部に所定の隙間を介して嵌め込むピースブロックとからなる嵌め合いブロックが複数用意されており、それらの嵌め合いブロックの各刳り貫き部がそれぞれ異なるパターンに形成されていることを特徴とする。
【０００７】
前記嵌め合いブロックが発泡性樹脂等で成形されたクッション材や硬質の板等からなり、該嵌め合いブロックを並べるとクッションマットが形成されることを特徴とする。
【０００８】
前記各ピースブロックが円形や多角形等の簡単な形状の中から選ばれた一つの図形であることを特徴とする。
【０００９】
前記隙間が１〜３ｍｍであることを特徴とする。
【００１０】
本考案でいう硬質の板とはプラスチック、木、金属板等であり、なかでも、発泡ウレタンは安価で加工しやすいし、幼児用玩具として軽く、手にやさしく、色の種類も多く見栄えがする。
【００１１】
本考案でいう簡単な図形とは、正円や、正三角形、正四角形、正五角形、正六角形等をいう。皮膚の弱い幼児のために枠板１と本体２のそれぞれの角は丸く仕上げたほうが好ましい。
【考案の効果】
【００１２】
本考案のパズルは上記のような構成をしているので、だいたいの位置に置くだけで、偶然に嵌り、そのことで、幼児がパズルの遊び方や楽しさを知ることが出来る。このような、遊びを繰り返すことにより、幼児は形を自然に認識できるようになり、さらに嵌める楽しさを会得それば、さらに複雑な形状のパズルでも根気よく続けることができるような子供を育てる手助けとなる。また、例えば、同じ形状で赤色と緑色の２種類のパズルをそれぞれ同色で嵌めるよう指示した時、同じ色をはめることができなければ、早期に色盲を疑う事が出来、その子の今後の学習方針の決定にも役立つ。
【図面の簡単な説明】
【００１３】
【図１】本考案の一実施例を示す外観図である。
【図２】本考案の他の実施例を示す外観図である。
【図３】本考案の他の実施例を示す外観図である。
【考案を実施するための形態】
【００１４】
本考案の一実施形態を図に基づいて説明する。図１において、本考案に係る嵌め合いブロックパズル１は所定パターンの刳り貫き部aを有する板状ブロックＡとその刳り貫き部aと相似形をなして、その刳り貫き部aに１〜３ｍｍ程度の隙間を介して嵌め込むピースブロックＢとを複数備えている。これらの嵌め合いブロックパズルＡの各刳り貫き部aはそれぞれ異なるパターン例えば、正四角形、正三角形、正円形に形成されている。ただし、図１では、円形に刳り貫いたものを示しているが、これには限定されない。本パズルの材質としては、発泡スチレンや、発泡ウレタンや木材を用い、その形状は角辺９０ｍｍの四角形厚さは５ｍｍで、中央に簡単な形状の図形を切り抜き、その図形より一回り小さい（例えば、嵌め合わせた時に、板状ブロックＡとピースブロックＢとの隙間が１〜３ｍｍ位出来る大きさ）図形の板を同じ材質、同じ厚さで作る。
【００１５】
ブロックパズル１の形状としては、円形、楕円形、正三角形、正方形、長方形、正五角形、正六角形等の簡単な形状がのぞましい。これらの材質としては、例えば、スチレン製の板を用い、その形状は各辺９０ｍｍ厚さ５ｍｍの四角形に直径５０ｍｍの円を刳り貫いた枠板と直径４７ｍｍ厚さ５ｍｍの円形の板を用いた。なお、ここでは、円形にしたが、正四角形等の簡単な図形でもよい。この形状にすることにより、隙間が１.５ｍｍ〜３ｍｍ程度開くため、初めてパズルに触れる幼児でも簡単に嵌ることが出来る。
【符号の説明】
【００１６】
１      嵌め合いブロックパズル
Ａ      板状ブロック
Ｂ      ピースブロック
ａ      刳り貫き部
【図１】
0003210775.tif 000003
【図２】
0003210775.tif 000004
【図３】
0003210775.tif 000005
(57)【要約】      （修正有）【課題】使用者が体を動かした時、クッションの位置ずれがなく、安定な側臥位を保持できるポジショニングクッションを提供する。    【解決手段】側臥位を一定に固定する為、別布でクッションを固定する方式を取る。クッションと下地布を一体化することで、使用者の自重で下地布をおさえ、クッション本体のズレや離脱を防ぐことができる。【選択図】図１
0003210773.tif 000002
【実用新案登録請求の範囲】
【請求項１】
褥瘡予防や手術後の体位保持の際に用いるポジショニングクッションのカバーに別布を付ける事で使用者の加重によってクッション自体がズレたり外れたりする事を防ぎ、安定的な体位を提供することが出来るポジショニングクッションである。
【考案の詳細な説明】
【技術分野】
【０００１】本考案は、安定的側臥位を実現・維持する為の方策を付与したボジショニングクッションに関する。
【クッション材加工技術と縫製技術の一体化】
【高齢者・被介護者の安定した側臥姿勢の維持】
従来の側臥位用（特に６０°）クッションは、使用者が体を預けると、その加圧でズレたり外れたりしていた。その為、３０°以上の側臥位をとる事が困難であった。
【課題を解決するための手段】
【クッションと別布の一体化】
褥瘡予防の為、体位を一定の角度に固定する為のポジショニングパッド（クッション）において，体位を一定に固定する為、別途図１で示すような別布で固定する方式を取る。クッションに別布を付けた事で、体を一層支えやすく、安定した姿勢を保つことができる。
また使用者が体を動かした場合、従来のような布をクッションに固定していないものであれば，使用者が体を動かした際、クッションの位置がずれてしまい安定的な体位を維持することができない。
クッションと下地布を一体化することで、クッションのずれを防止して使用者に安定的な体位を提供することができる。
【考案の効果】
【ポジショニングの為の安定的側臥位の保持】
側臥位の安定化のために用いるクッションに使用者が体を預けた際に自重で別布をおさえ、クッション本体のズレや離脱を防ぎ安定姿勢を保持出来る。
【労働負荷の軽減】
従来、使用者の側臥位を維持する為、クッションを支える物を置くか頻繁に直すという労働負荷の軽減
【図面の簡単な説明】
【クッションと別布の一体化】
【図１】
クッションと別布の一体化構造（使用時の状態）
【図２】
体位保持及び安定化の図示
【図３】
クッションと別布一体方式（別布収納時）
【本案を実施する為の形態】
【体位安定保持クッション】
以下、本考案の実施の実体を図に基づいて説明する。
【実施例１】
【ポジショニングクッション】
図１は、本考案の実施例１の外観図であってクッションと別布の一体化構造及びクッションへの側臥位維持の為のテーパー角度設定状況を表している。
【産業上の利用の可能性】
本考案は褥瘡予防ポジショニング、睡眠時無呼吸症候群対策用クッションを製造する産業で利用される。
【図１】
0003210773.tif 000003
【図２】
0003210773.tif 000004
【図３】
0003210773.tif 000005
(57)【要約】【課題】重力応用式ドア閉止装置に用いる滑車は、水平に設置した滑車でドアからの線材を受けて、垂直に設置した滑車で線材を垂直方向へ変えて錘と連結していた。よって、２個の滑車が必要で、機構が複雑で大きく、取付けも難易であった。これを１個の滑車で同様な機能を持ち、簡単で安価に作成でき、取付けも容易な滑車を提供する。【解決手段】垂直方向に設置した滑車のフレームに線材（２ａ、２ｂ、２ｃ）のガイド枠（１ｂ）を設け、滑車の取付けをドアが約４５°に開いた線材（２ａ）の方向に合わせ、ドアが閉じた状態から大きく開いた状態まで滑車機能を維持でき、垂直方向に線材（２ａ、２ｂ、２ｃ）の向きを変えられる滑車。【選択図】図３
0003210780.tif 000002
【実用新案登録請求の範囲】
【請求項１】
滑車１個で水平方向に向きが変化する線材を受けて、且つ垂直に線材方向を変えることができるドア閉止装置用の滑車。
【請求項２】
請求項１の滑車フレームに設けた線材ガイド枠形状により、ドアを閉める動作速度を遅くする機能を有する滑車。
【考案の詳細な説明】
【技術分野】
【０００１】本考案は、ドア閉止装置用の滑車に関する。
【背景技術】
【０００２】  重力応用式のドア閉止装置は、先端に錘を付けた線材を戸上枠又は隣接する壁面に設置した滑車を介して、ドアの自由端上部に取り付けた金具に接続し、前記錘の重力によってドアを閉じる方向に牽引する。使用される滑車はドアの開閉角度により線材の方向が水平的に変化するので、水平方向に設置した滑車で線材を受けてから、垂直方向に設置した滑車で線材を垂直方向へ向きを変えて錘と連結している。【０００３】  水平方向と垂直方向の２個の滑車を使用するので、構造が複雑になり設置スペースも大きく、取付けも難易である。また、単なる滑車機能のみではドアを牽引して動く速度制御が出来ず、錘の重さで調整するしかない。よって、ドアが戸当たりに接触する速度を遅くしてドアが閉まる音を小さくしようとすると、ドアを大きく開いた場合閉まらないなどの欠点がある。
【先行技術文献】
【特許文献】
【０００４】
【特許文献１】特開２００３−０４１８４９号公報
【実用新案文献】
【０００５】
【実用新案文献１】
実用新案登録第３１０８６９４号
【考案の概要】
【考案が解決しようとする課題】
【０００６】  以上に述べた従来の重力応用式ドア閉止装置に使用される滑車を、１個で水平方向に変わる線材方向に対応し、垂直方向に線材の向きを変えられるものとする。よって、滑車機構部分の簡略化及び小型化ができ、取付けも容易に出来るようにする。【０００７】  また、滑車に線材の速度調整機能を持たせ、ドアが戸当たりに接触する速度を遅くして、ドアが戸当たりに当たる音を小さくできるようにする。
【課題を解決するための手段】
【０００８】  滑車は垂直方向に１個のみとし、ドアに接続された線材の水平方向のガイド枠を、滑車のドア側フレームに設ける。滑車と線材の方向が水平方向にて差異があっても、フレームのガイド枠で滑車が回転する範囲に線材方向を矯正する。滑車の取付け方向は、ドアが約４５°開いた時の線材方向に合わせることで、ドアが閉じた状態から大きく開いた状態まで滑車機能を維持できる。【０００９】  線材のガイド枠幅は滑車の中心に対し、ドアの自由端側方向を小さく、ドア回転軸側方向を大きくする。よって、ドアを閉める動作時はドアが閉まりきる前にガイド枠と線材が接触することにより摩擦が大きくなり、ドアの閉まる速度が遅くなる。
【考案の効果】
【００１０】  上述したように本考案のドア閉止装置用滑車は、１個で水平用と垂直用の２個分の滑車機能を持ち、且つドアが戸当たりに当たる時の速度を遅くすることが出来る。よって、構成が簡単になり安価に制作でき、取付けスペースも小さく容易に取付けできる。また、ドアが戸当たりに当たる時の音を小さく出来る。
【図面の簡単な説明】
【００１１】
【図１】本考案の滑車を使用したドア閉止装置の部分側面図である。
【図２】本考案の滑車を使用したドア閉止装置の平面図である。
【図３】本考案のドア閉止装置用滑車の正面図である。
【図４】本考案のドア閉止装置用滑車の側面図である。
【考案を実施するための形態】
【００１２】  以下、本考案の実施形態を図１〜図４に基づいて説明する。
【００１３】  （イ）ドア（７）の自由端上部に、接続金具（５）をビスなどで取り付ける。
（ロ）本考案の滑車（１）を戸上枠（６）にビスなどで取り付ける。
なお、滑車（１）の取付け位置は、戸上枠（６）と隣接する壁面でもよい。
（ハ）線材（２）の一方を、接続フック（４）などで接続金具（５）に接続する。
（ニ）線材（２）の他端を滑車（１）に通してから垂直方向に下し、錘（９）と接続す        る。
本考案の滑車を使用したドア閉止装置は、以上のような構造である。
【００１４】  本考案の滑車（１）を使用する場合は、滑車（１）の取付け方向をドア（７）が約４５°に開いた時の線材（２ａ）方向と合わせることにより、ドア（７）の開閉動作による線材方向の変化に対し、滑車フレームに設けたガイド枠（１ｂ）の方向矯正機能が図３に示すように最適となる。また、ドア（７）を閉じる動作時は、ドア（７）が閉じきる前に線材（２）がガイド枠（１ｂ）と接触し、摩擦力によりドア（７）の閉じる速度が遅くなる。
【符号の説明】
【００１５】    １  滑車、図３及び図４の１ａは滑車本体、１ｂは滑車フレームのガイド枠、
１ｃは回転軸を示す。
２  線材、図２と図３の２ａはドア開度４５°、２ｂはドア開度９０°、２ｃは、ド        ア閉時での線材位置を示す。
３  戸横枠
４  接続フック
５  接続金具
６  戸上枠
７  ドア、図２と図３の７ａはドア開度４５°、７ｂはドア開度９０°、７ｃはドア        閉時でのドア位置を示す。
８  戸当たり
９  錘
【図１】
0003210780.tif 000003
【図２】
0003210780.tif 000004
【図３】
0003210780.tif 000005
【図４】
0003210780.tif 000006
【手続補正書】
【提出日】平成29年3月23日(2017.3.23)
【手続補正１】
【補正対象書類名】実用新案登録請求の範囲
【補正対象項目名】全文
【補正方法】変更
【補正の内容】
【実用新案登録請求の範囲】
【請求項１】
先端に錘を付けた線材を戸上枠又は隣接する壁面に設置した滑車を介して、ドアの自由端上部に取り付けた金具に接続し、前記錘の重力によってドアを閉める方向に牽引するドア閉止装置用の滑車において、垂直に設置した滑車のドア側フレームにドアが閉じた状態から大きく開いた状態まで線材方向が変化しても、線材が滑車から外れない形状のガイド枠を設けたことを特徴とするドア閉止装置用の滑車。
【請求項２】
前記滑車のフレームに設けるガイド枠形状を、滑車の中心に対しドア自由端側方向を小さく、ドア回転軸方向を大きくすることを特徴とする請求項１に記載のドア閉止装置用の滑車。
(57)【要約】      （修正有）【課題】照明器具において、電源に太陽電池、光源にＬＥＤを用いて簡便な照明を可能にする太陽電池付きＬＥＤ照明器具を提供する。【解決手段】太陽電池１と太陽電池１の裏面に直接または放熱板３を介してＬＥＤ２を取り付けたことを特徴とする。【選択図】図２
0003210776.tif 000002
【実用新案登録請求の範囲】
【請求項１】
太陽電池１と前記太陽電池１の裏面に直接または放熱板３を介してＬＥＤ２を取り付けたことを特徴とする太陽電池付きＬＥＤ照明器具。
【請求項２】
前記ＬＥＤ２前面にレンズ４を取り付けたことを特徴とする太陽電池付きＬＥＤ照明器具。
【請求項３】
前記放熱板３とＬＥＤ２とレンズ４を透光性樹脂５で覆った特徴とする太陽電池付きＬＥＤ照明器具。
【請求項４】
前記太陽電池１が発生した電気をチャージャー６を介してバッテリー７を充電し、前記バッテリー７から電源供給を受けＬＥＤドライバー９を介して前記ＬＥＤ２を点灯することを特徴とする太陽電池付きＬＥＤ照明器具。
【請求項５】
前記ＬＥＤドライバー９は制御回路１０により制御されＬＥＤ２の点灯消灯を制御することを特徴とする太陽電池付きＬＥＤ照明器具。
【請求項６】
制御回路１０は少なくともタイマー機能、照度検知機能、無線機能を有することを特徴とする太陽電池付きＬＥＤ照明器具。
【請求項７】
少なくとも前記チャージャー６、前記バッテリー７、前記ＬＥＤドライバー９、前記制御回路１０を内蔵する制御ボックス８を前記太陽電池１の裏面に取り付けたことを特徴とする太陽電池付きＬＥＤ照明器具。
【考案の詳細な説明】
【技術分野】
【０００１】本考案は、太陽電池を電源としてＬＥＤを点灯するＬＥＤ照明器具に関する。
【背景技術】
【０００２】従来のＬＥＤ照明器具は外部から供給される商用電源を電力変換装置を用いて直流化し、ＬＥＤドライバーを介してＬＥＤに負荷電力を供給する必要がある。【０００３】前記従来のＬＥＤ照明器具は、このため装置が複雑となり、コストもかさむことになる。
【先行技術文献】
【特許文献】
【考案の概要】
【考案が解決しようとする課題】
【０００４】本考案は前記従来の課題を解決するもので、構造を簡単にし、低価格な太陽電池付きＬＥＤ照明器具を提供することを目的とする。
【課題を解決するための手段】
【０００５】前記従来の課題を解決するために、本考案は太陽電池と前記太陽電池の裏面に直接または放熱板を介して取り付けられたＬＥＤとで太陽電池付きＬＥＤ照明器具を構成している。
【考案の効果】
【０００６】本考案においては、日中太陽が照射するところであれば夜間必要に応じてＬＥＤを点灯し周囲を明るくするＬＥＤ照明器具を提供できる。
【図面の簡単な説明】
【０００７】
【図１】本考案の実施の形態における太陽電池付きＬＥＤ照明器具の断面概略図
【図２】本考案の実施の形態における太陽電池付きＬＥＤ照明器具の裏面概略図
【図３】本考案の実施の形態における太陽電池付きＬＥＤ照明器具のブロック図
【考案を実施するための形態】
【０００８】以下、本考案の実施の形態について、図面を参照しながら説明する。なお、この実施の形態によって本考案が限定されるものではない。
【０００９】  （実施の形態）
図１は、本考案の第１の実施の形態における太陽電池付きＬＥＤ照明器具の側面概略図を示すものである。
図２は、本考案の第１の実施の形態における太陽電池付きＬＥＤ照明器具の裏面概略図を示すものである。
図１、図２において、太陽電池１の裏面にＬＥＤ２が取り付けられた放熱板３が接着材などで取り付けられる。ＬＥＤ２にはレンズ４が取り付けられる。ＬＥＤ２、放熱板３、レンズ４は防水のため防水性のある透光性樹脂５でコーティングされる。必要に応じてＬＥＤ２の点灯消灯を制御する制御箱８が取り付けられる。
【００１０】以上のように構成された太陽電池付きＬＥＤ照明器具について、以下その動作、作用を図３を用いながら説明する。
まず、太陽電池１で発生した電気はチャージャー６を介してバッテリー７を充電する。
バッテリー７から電力供給を受けＬＥＤドライバー９を介してＬＥＤ２は点灯する。ＬＥＤドライバー９は制御回路１０により制御されＬＥＤ２の点灯消灯を制御する。
【００１１】制御回路１０は少なくともタイマー機能、照度検知機能、無線機能を有する。
【００１２】タイマー機能によりＬＥＤ２は一定時間点灯したり、一定時間後に消灯したりする。
【００１３】照度検知機能は照度検知センサー１１により、外光を検知し暗くなるとＬＥＤ２は点灯し、明るくなるとＬＥＤ２は消灯する機能を有する。
【００１４】Ｚｉｇｂｅｅなどの無線通信技術を利用し、パソコンやスマートフォンなどの外部制御機器１２で制御回路１０は制御されＬＥＤ２の点灯、消灯、調光などが制御される。
【符号の説明】
【００１５】  １  太陽電池
２  ＬＥＤ
３  放熱板
４  レンズ
５  透光性樹脂
６  チャージャー
７  バッテリー
８  制御箱
９  ＬＥＤドライバー
１０  制御回路
１１  照度検知センサー
１２  外部制御機器
【図１】
0003210776.tif 000003
【図２】
0003210776.tif 000004
【図３】
0003210776.tif 000005
【手続補正書】
【提出日】平成29年3月15日(2017.3.15)
【手続補正１】
【補正対象書類名】実用新案登録請求の範囲
【補正対象項目名】全文
【補正方法】変更
【補正の内容】
【実用新案登録請求の範囲】
【請求項１】
太陽電池１と前記太陽電池１の裏面に直接または放熱板３を介してＬＥＤ２を取り付けたことを特徴とする太陽電池付きＬＥＤ照明器具。
【請求項２】
前記ＬＥＤ２前面にレンズ４を取り付けたことを特徴とする請求項１に記載の太陽電池付きＬＥＤ照明器具。
【請求項３】
前記放熱板３と前記ＬＥＤ２と前記レンズ４を透光性樹脂５で覆った特徴とする請求項２に記載の太陽電池付きＬＥＤ照明器具。
【請求項４】
前記太陽電池１が発生した電気をチャージャー６を介してバッテリー７を充電し、前記バッテリー７から電源供給を受けＬＥＤドライバー９を介して前記ＬＥＤ２を点灯することを特徴とする請求項１〜３のいずれか１項に記載の太陽電池付きＬＥＤ照明器具。
【請求項５】
前記ＬＥＤドライバー９は制御回路１０により制御され前記ＬＥＤ２の点灯消灯を制御することを特徴とする請求項４に記載の太陽電池付きＬＥＤ照明器具。
【請求項６】
制御回路１０は少なくともタイマー機能、照度検知機能、無線機能を有することを特徴とする請求項５に記載の太陽電池付きＬＥＤ照明器具。
【請求項７】
少なくとも前記チャージャー６、前記バッテリー７、前記ＬＥＤドライバー９、前記制御回路１０を内蔵する制御ボックス８を前記太陽電池１の裏面に取り付けたことを特徴とする請求項５又は６に記載の太陽電池付きＬＥＤ照明器具。
(57)【要約】      （修正有）【課題】容易にプライバシーに関わる書き込み部分が読まれる事のない、月極めカレンダーを提供する。【解決手段】月ごとのカレンダーを綴じた本体Ａと、その本体Ａを被う表紙Ｂとを備え、表紙Ｂに窓をつけ、日付けや予定表などの人目にふれても構わない部分は窓から見えるようにし、行動記録や金銭出納、健康管理データ、交際記録などのプライバシーに関わる部分は、目隠しされる機能をもつカレンダーとした。【選択図】図１
0003210753.tif 000002
【実用新案登録請求の範囲】
【請求項１】
横向きに曜日を配列してマトリックス状に日付欄を並べた月極めカレンダーであって、前記各日付欄の下欄には、日々の書き込み欄が設けられ、前記カレンダーを被う表紙には、前記日付欄を露出させ、前記書き込み欄を隠す窓が設けられ、前記カレンダーの余白には、その月の簡易家計簿記入欄が設けられている月極めカレンダー。  
【考案の詳細な説明】
【技術分野】
【０００１】
本考案は、月ごとのカレンダーを上部で綴じた月極めカレンダーに関するものである。
【背景技術】
【０００２】
従来の書き込み可能なカレンダーは、見やすい場所に吊るして使用する性質上、書き込んだ内容が人目にふれてしまう難点があった。
【考案の概要】
【考案が解決しようとする課題】
【０００３】
本考案は、このような従来のカレンダーが有していた問題を解決するために、容易にプライバシーに関わる書き込み部分が読まれる事のない、新たなカレンダーを提供することを目的とした。    
【課題を解決するための手段】
【０００４】
本考案の月極めカレンダーは、横向きに曜日を配列してマトリックス状に日付欄を並べた月極めカレンダーであって、前記各日付欄の下欄には、日々の書き込み欄が設けられ、前記カレンダーを被う表紙には、前記日付欄を露出させ、前記書き込み欄を隠す窓が設けられ、前記カレンダーの余白には、その月の簡易家計簿記入欄が設けられているものである。
【考案の効果】
【０００５】
現代人の行動における計画、予定、実行等の記録は、さまざまな便利な機能を持つ手帳、パソコン、スマートホンなどが駆使される昨今ではあるが、月極めカレンダーも、やはり便利で欠かすことのできない生活アイテムである。
しかしながら、通常の用い方は、居間、事務所、仕事場等見やすい場所で掲示する為書き込み内容が簡単に人目につきやすいという難点がある。そんな従来のカレンダーに目隠し機能をつける事により、人に見られる事なく、さまざまな記録が書き込めると共に、各月のカレンダーがコンパクトにファイルに残せる為、より便利な生活アイテムに変わり、好適に利用可能である。
【図面の簡単な説明】
【０００６】
【図１】月極めカレンダーの構成図
【図２】月極めカレンダーの平面図
【図３】表紙の平面図
【図４】ファイルに収めた時の外観図
【考案を実施するための形態】
【０００７】
以下、本考案の実施の形態を図１から図４に基づいて説明する。図１において、月極めカレンダーは、月ごとのカレンダーを綴じた本体Ａと、その本体Ａを被う表紙Ｂとを備えている。図２の本体Ａは、通常のカレンダーの余白部分に書き込み欄Ｃを設けたもので、その大きさは、二つ折りにするとＡ４サイズに収まるように形成されている。また、その書き込み欄Ｃには、行動記録や金銭出納、健康管理データ、交際記録等のプライベートな事項が記入できるようになっている。
【０００８】
一方、図３の表紙Ｂにはカレンダーとしての日付け表示欄Ｄを露出させ、記入した日々の書き込み欄Ｃを隠す、窓Ｅ１〜８を設けている。したがって、この表紙Ｂを本体Ａに被せると、図１に示すような壁掛け式の月極めカレンダーとなる。また、カレンダーの下部余白部分には、その月の経費などの簡易家計簿が記入できる欄Ｆや、メモ欄Ｇを設けることができるが、これは必須なものではない。
【０００９】
図４は、月が替わり、綴じ部Ｈから切り取った使用済みのカレンダーを二つ折りにすると、Ａ４ファイルに収納可能なサイズに形成されている。
【符号の説明】
【００１０】
Ａ  本体
Ｂ  表紙
Ｃ  書き込み欄
Ｄ  日付け表示欄
Ｅ  窓１〜８
Ｆ  下部余白
Ｇ  メモ欄
Ｈ  綴じ部
【図１】
0003210753.tif 000003
【図２】
0003210753.tif 000004
【図３】
0003210753.tif 000005
【図４】
0003210753.tif 000006
(57)【要約】      （修正有）【課題】ペットボトル内で発生させた水素ガスを鼻腔カニューラーにより吸引するために鼻腔カニューラーのチューブが差し込み可能なチューブ差し込み口付きペットボトルキャップを提供する。【解決手段】ペットボトルキャップ１の上部中央にチューブ差し込み口２を設け、チューブ差し込み口２に鼻腔カニューラーのチューブを差し込むことによって効率的に吸引することが可能となる。【選択図】図１
0003210789.tif 000002
【実用新案登録請求の範囲】
【請求項１】
通常販売されているペットボトル内で発生させた水素ガスを鼻腔カニューラーにより吸引するために鼻腔カニューラーのチューブが差し込み可能なチューブ差し込み口付きペットボトルキャップ。
【考案の詳細な説明】
【技術分野】
【０００１】  本考案はペットボトル内で発生させた水素ガスを吸入するためにペットボトルに装着するチューブ差し込み口付きペットボトルキャップに関する。
【背景技術】
【０００２】  近年、水素ガスを吸入することによって病気を治療したり健康を維持したりすることが盛んに取り上げられている。しかし、従来の水素ガスを発生させその水素ガスを吸入する器具は高額なものやメンテナンスが必要なものや携帯性に劣るものである。
【先行技術文献】
【特許文献】
【０００３】
【特許文献１】特開２０１６−１３１６２３／スケルトン型水素ガス生成器（公開日  平成２８年７月２５日）は水素ガスの発生において、透明で無臭である良質な水フィルタを透過させ、水中の金属イオン等により水素ガス分子を活性化させて水素ガスを吸入者の体内に送る、簡易で安全な水素ガス発生、吸入方法及びその装置を提供する。
【特許文献２】特開２０１６−１８２１５３／水素ガス吸入方法と水素ガス浸透方法と水素ガス吸入装置と水素ガス浸透装置（公開日  平成２８年１０月２０日）は高濃度の水素水を製造する水素水製造器具で発生した高濃度の水素ガスを吸入する又は浸透させることができ、且つ、携帯に適した水素ガス吸入方法と水素ガス浸透方法と水素ガス吸入装置と水素ガス浸透装置を提供すること。
【特許文献３】特開２００６−９４７５８／ボトルキャップ構造体（公開日  平成１８年４月１３日）は必要に応じて、培養液を補填したり、細胞液を取り出したりするためのチューブを簡単に連結することができ、密封性を損なう心配のないボトルキャップ構造体の提供。
【特許文献４】特開２００３−１４６３５２／ツインストロー付ペットボトルキャップ（公開日  平成１５年５月２１日）はペットボトルのキャップに装置するストローを二人でペットボトルの飲物を飲める２本のストロー付のキャップにすること。
【特許文献５】特開２０００−２３８８２９／ペットボトルキャップ（公開日  平成１２年９月５日）は開閉を早くし、炭酸を長持ちさせ、見た目で、飲みたくなるような形で形成するのが目的。
【特許文献６】実用新案登録第３０５４４５４号／ペットボトルキャップストロー（発行日  平成１０年１２月４日）はペットボトルのキャップにストローを付け携帯でき、万人に飲み易くする。
【非特許文献】
【０００４】
【非特許文献１】水素水生成器  ルルドハイドロフィクス／株式会社ニューアクション  ｈｔｔｐ：／／ｎａ−ｓｈｏｐ．ｊｐ／ｌｏｕｒｄｅｓ−ｈｆ／ｆｃ／？ｒｅｆｅｒｅｒ＝ｆｃｈｙｄｒｏ＆ａｄ＿ｃｏｄｅ＝ｆｃｈｙ
【非特許文献２】水素吸入器  ラブリエリュクス／ミライプラス株式会社  ｈｔｔｐ：／／ｗｗｗ．ｍｉｒａｉｐｌｕｓ．ｃｏ．ｊｐ／ｐｒｏｄｕｃｔ／６１
【非特許文献３】家庭用高濃度水素吸入＋水素水生成複合機  Ｈ２  ＲＥＢＯＲＮ  ｈｏｍｅ−エイチツーリボーンホーム／株式会社アイムビー  ｈｔｔｐｓ：／／ｗｗｗ．ｍｉｙａｔｏｕｃｈ．ｃｏｍ／ｐｒｏｄｕｃｔｓ／ｄｅｔａｉｌ．ｐｈｐ？ｐｒｏｄｕｃｔ＿ｉｄ＝２６８１
【非特許文献４】水素吸入＆水素水生成器  ダブル水素ボトル／ミライプラス株式会社  ｈｔｔｐ：／／ｗｗｗ．ｍｉｒａｉｐｌｕｓ．ｃｏ．ｊｐ／ｐｒｏｄｕｃｔ／１６７？ｇｃｌｉｄ＝ＣＰ３３ｓ４ＳｎｕｄＩＣＦＵＩｖｖＡｏｄＦｉＭＩｆＱｆ
【非特許文献５】水素生成器  ハイドリッチ／株式会社パル・コーポレーション  ｈｔｔｐ：／／ｐａｌｃｏｒｐ．ｓｈｏｐ３８．ｍａｋｅｓｈｏｐ．ｊｐ／
【非特許文献６】ポータブル水素吸入器  Ｈ２  ａｉｒ（エイチツーエアー）／株式会社ビーエイチ  ｈｔｔｐ：／／ｈ２ａｉｒ．ｉｎｆｏ／
【考案の概要】
【考案が解決しようとする課題】
【０００５】  従来の水素ガス吸入器具は電気分解により水素ガスを発生させる方式のものは高価であるとともに電極やバッテリーのメンテナンスが必要である。また化学反応により水素ガスを発生させる方式のものは携帯性がなかったり、専用の容器が必要であったりする。
【課題を解決するための手段】
【０００６】  通常販売されているペットボトル内で化学反応により水素ガスを発生させ、チューブ差し込み口付きペットボトルキャップに市販の酸素マスクや鼻腔カニューラーのチューブを差し込んで水素ガスを吸入する。
【考案の効果】
【０００７】  チューブ差し込み口付きペットボトルキャップは通常販売されているペットボトルに使用でき、ペットボトルは安価であるため汚れたり破損したりしたら気楽に交換ができる。ペットボトルとチューブ差し込み口付きペットボトルキャップと酸素マスクや鼻腔カニューラーを使った水素ガス吸入器具は携帯性に優れ、いつでもどこでも水素ガスの吸入が可能である。
【図面の簡単な説明】
【０００８】
【図１】チューブ差し込み口付きペットボトルキャップ各部の名称
【図２】チューブ差し込み口付きペットボトルキャップ使用方法と各部の名称
【考案を実施するための形態】
【０００９】  ペットボトルキャップ１の上部中央にチューブ差し込み口２を有するチューブ差し込み口付きペットボトルキャップ。
【実施例】
【００１０】  以下、実施例を図２に従って説明する。ペットボトル３に水素ガス発生材４（酸化カルシウムとアルミニウム）と水５を入れると下記の化学反応を生じる。
酸化カルシウム＋水→水酸化カルシウム
ＣａＯ＋Ｈ２Ｏ→Ｃａ（ＯＨ）２
アルミニウム＋水酸化カルシウム＋水→アルミン酸カルシウム＋水素
２ＡＬ＋Ｃａ（ＯＨ）２＋２Ｈ２Ｏ→Ｃａ（ＡＬＯ２）２＋３Ｈ２
ここで発生した水素ガス６をチューブ差し込み口付きペットボトルキャップ７に鼻腔カニューラー８のチューブを差し込み鼻より吸入する。
【産業上の利用可能性】
【００１１】  本考案は医療施設、健康施設、スポーツ施設、美容施設で利用される。
【符号の説明】
【００１２】１  ペットボトルキャップ
２  チューブ差し込み口
３  ペットボトル
４  水素ガス発生材
５  水
６  水素ガス
７  チューブ差し込み口付きペットボトルキャップ
８  鼻腔カニューラー
【図１】
0003210789.tif 000003
【図２】
0003210789.tif 000004
(57)【要約】      （修正有）【課題】鞄内側に装飾が施されたおもしろ味のあるランドセル型背負い鞄を提供する。【解決手段】鞄の大マチ前面域の縁域を除く全域にわたって、日本国のイメージに結びつく五重の塔や桜、富士山などを型取った光るガラスや金属性の材質でデザイン化されたピクチュアー・スポットを設け、冠裏にも同様に異なるデザイン化された図柄のピクチュアー・スポットを設ける。【選択図】図１
0003210781.tif 000002
【実用新案登録請求の範囲】
【請求項１】
大マチ前面域における縁域を除く全域にわたって、日本国のイメージに結びつく五重の塔、桜、富士山等を型取った光るガラスや金属性の材質でデザイン化された図柄のピクチュアー・スポットを設けてあり、大マチ前面部と向き合う冠裏にも同様の異なるデザイン化された図柄のピクチュアー・スポットが設けてあることを特徴とするランドセル型背負い鞄。
【考案の詳細な説明】
【技術分野】
【０００１】  本考案はランドセル型背負い鞄内側の装飾に関するものである。
【背景技術】
【０００２】  従来、鞄の内側に装飾を施すことはなかった。
【考案の概要】
【考案が解決しようとする課題】
【０００３】  従来、鞄内側には、名前、時間割を書き入れるところはあったが、装飾を施すことはなく殺風景であった。
【課題を解決するための手段】
【０００４】  ランドセル型背負い鞄はランドセルのように背負って使用する鞄であって、物を入れるスペースである大マチの背当て側に対する反対側を前面とし、大マチの上方向開口部を覆って、前面全般に垂れ被さるフタを冠（かぶせ）と称する場合において、大マチ前面域の縁域を除く全域に亘って日本国のイメージに結びつく五重の塔や桜、富士山等を型取った光るガラスや金属性の材質でデザイン化されたピクチュアー・スポットを設けてあって、大マチ前面部と向き合う冠裏にも、同様に異なるデザイン化された図柄のピクチュアー・スポットを設けてある。
以上を特徴とするランドセル型背負い鞄である。
【考案の効果】
【０００５】  背負い鞄は外国の女性が好んで用いるため、ピクチュアー・スポットに、日本の歴史的文化遺産、景勝地の絵などを入れることで日本の紹介になり、旅行者と鞄の愛好者が増え、ますます日本の人気が高まる。
子供用ランドセルには、星座、スペースシャトル、車の絵をピクチュアー・スポットにのせることで、知的興味をそそり、探究心が湧き、教育的効果が望める。
【図面の簡単な説明】
【０００６】
【図１】本考案の斜視図
【図２】本考案の使用状態を示す斜視図
【考案を実施するための形態】
【０００７】  以下本考案の実施の形態を説明する。
（イ）背負い鞄（１）の冠（２）を開け、大マチ（３）前面にピクチュアー・スポット（４）が設けてある。
（ロ）ピクチュアー・スポット（４）に、ガラスや金具の図柄（５）の装飾を施してある。
（ハ）冠（２）の内側にも同様に異なるデザイン化された図柄（５）の装飾が施してある。
（ニ）装飾には宝石、貴石などを用いることも可能である
本考案は以上のような構造である。
本考案を使用するときは、背負い鞄（１）に冠（２）をかけとめ、背中へまわしてベルト（６）を肩にかけて背負う。
背負い鞄（１）は買物や旅行中に、冠（２）を開くたびに華麗な装飾に再度日本を訪れてみたい気持を引き起こす。
【符号の説明】
【０００８】（１）ランドセル型背負い鞄、（２）冠、（３）大マチ
（４）ピクチュアー・スポット、（５）図柄、（６）ベルト
【図１】
0003210781.tif 000003
【図２】
0003210781.tif 000004
(57)【要約】      （修正有）【課題】ハイドロカルチャーと呼称される水耕栽培観葉植物をペット慰霊樹とすることで、住宅事情や宗教性にとらわれずに安価且つ手軽にペットの供養を行える室内用の慰霊樹を提供する。【解決手段】鉢容器１にペットの遺影彫刻２とペットの名前彫刻３を施し、その鉢容器１に水耕用培地を入れ、観葉植物４を植樹することによってハイドロカルチャーの鉢植え自体を簡易的な慰霊樹として位置づける。また、鉢植えに遺骨カプセル５を添えることで慰霊の目的を深く感じていただく。ハイドロカルチャーを利用することで衛生的且つ簡単なお手入れで、室内栽培が可能となる。置き場所を選ばず持ち運びも容易なことで、手軽にペット供養が行える。また、植物の世話をするという観点から、ご利用者により深い供養を感じていただける。【選択図】図１
0003210783.tif 000002
【実用新案登録請求の範囲】
【請求項１】
鉢植え容器にペットの写真と名前の彫刻を施すとともに、その鉢植え容器にハイドロカルチャーと呼称される水耕栽培観葉植物を植え、遺骨カプセルを添えた、コンパクトで持ち運び可能としたところを特徴とする屋内用の慰霊樹。
【考案の詳細な説明】
【技術分野】
【０００１】  本考案は、鉢にペットの遺影写真と名前のレーザー彫刻を施し、水耕栽培に適した植物を植えた屋内用観葉植物に関するものである。
【背景技術】
【０００２】  ペット愛好家の多くが大切なペットを喪った際にペット斎場・霊園での納骨がおこなっている。または、専用の位牌やペット用祭壇を用いて自宅での供養がおこなわれている。
【先行技術文献】
【特許文献】
【０００３】
【特許文献１】特開２００６−２１８０５４
【考案の概要】
【考案が解決しようとする課題】
【０００４】  ペット斎場・霊園での納骨は経済的負担が大きいことは勿論、引越し等の事情で地域を離れる場合もあるが、移動させることは困難である。位牌を置くにも自宅に仏壇が無い場合もあり、個人宅向けのペット用祭壇にしても、日本の住宅事情から置き場所に困るといった声が多く挙げられることから、前述の欠点を簡単な構成によって提供することで解決しようとするものである。
【課題を解決するための手段】
【０００５】  本考案は、鉢にペットの遺影と名前を彫刻加工し、それにハイドロカルチャー用の小さな観葉樹を植樹し、鉢植え自体を慰霊碑とすることで、設置場所を選ばず、安価且つ手軽に供養をおこなえるようにすることにより問題点を解決する。
【考案の効果】
【０００６】  植樹にハイドロカルチャーを使用することで、水遣りの手間がほとんどかからない上、土を使用しないので虫もわかず室内環境での衛生面に優れ、且つ部屋の空気の自浄作用の効果が持てる。また、鉢植え自体を慰霊碑として扱う点から安価で提供が可能、さらには従来のペット用仏具とは異なり宗教性の違いは問わないことから幅広くご利用いただくことができ、植物の世話をするという観点から利用者様にとって、より深い供養を感じて頂くことができる。
【図面の簡単な説明】
【０００７】
【図１】本考案の鉢に彫刻加工したハイドロカルチャーペット慰霊樹の一実施例を示す正面図である。
【図２】本考案の鉢植えの断面図である。
【図３】鉢植えの培地に添える遺骨カプセル。
【考案を実施するための形態】
【０００８】  ペットの遺影写真をスキャニングしてデータとしてパソコンに取り込み、画像加工ソフトを使用して任意の範囲で切り取ったうえ、ユニバーサル社のＯＳワンタッチレーザーフォトを使用して彫刻専用のデータを作成。鉢植えとする容器にペットの遺影写真及び名前を彫刻し、そこにハイドロカルチャー用の培地を加え、水耕栽培に適した植物を植えることにより、少量の水と光で育成可能で、且つ、衛生的で手入れが簡単といったハイドロカルチャーの特性を生かした屋内用観葉ペット慰霊樹となる。
【実施例】
【０００９】  以下、添付図面に従って一実施例を説明する。１はガラス、陶器、プラスチックス等適宜素材にて形成された鉢容器。２は前記の鉢容器１の表面に彫刻加工したペットの遺影で、３はそのペットの名前を彫刻したものである。【００１０】  ４は前記の鉢容器１に植樹するためのハイドロカルチャー（水耕栽培）に適した観葉植物である。５は培地に添える遺骨の一部または遺毛を収容することができるカプセル。６はハイドロカルチャー用の培地で、セラミス、ネオコール、ハイドロボール、炭、ゼリーボール等の適宜素材を使用することにより、衛生面と保水性に優れたグリーンインテリアとしてのペット慰霊樹とする。
【符号の説明】
【００１１】１  鉢容器
２  ペット遺影彫刻
３  ペット名前彫刻
４  観葉植物
５  遺骨カプセル
６  水耕用培地
【図１】
0003210783.tif 000003
【図２】
0003210783.tif 000004
【図３】
0003210783.tif 000005
(57)【要約】      （修正有）【課題】少なくとも２個の箱体を並設し、少なくとも２種類のごみを仕分け収納できるごみ収納箱を提供する。【解決手段】上方が開口した略四角形状の箱体を少なくとも２個並設し、該並設された箱体には該箱体の開口に対応した開口穴３を有する上蓋１が設けられ、該上蓋１は前記並設された箱体の上方から嵌入固定されている。【選択図】図２
0003210784.tif 000002
【実用新案登録請求の範囲】
【請求項１】
上方が開口した略四角形状の箱体を、少なくとも２個並設し、該並設された箱体には、該箱体の開口に対応した開口穴を有する上蓋が設けられ、該上蓋は、前記並設された箱体の上方から嵌入固定されていることを特徴とするごみ収納箱。
【考案の詳細な説明】
【技術の分野】
【０００１】  本考案は少なくとも２個の箱体を並設し、それを一対に固定し少なくとも２種類のごみが仕分け収納できるごみ収納箱に関するものである。
【背景技術】
【０００２】  身近に置けるごみ箱に関するものだが、主に可燃ごみの為のごみ箱が通例だった。リサイクルプラの排出の際は、その可燃ごみ箱内に一緒に混入するかリサイクルプラ専用の袋やごみ箱等迄、足を運び処分していた。
【考案の概要】
【考案が解決しようとする課題】
【０００３】  主に屋内に於いて、身近に置いてあるごみ収納箱にごみを捨てる際、今迄可燃ごみ用としてのごみ収納箱が通例だった。今や可燃ごみの排出と伴にリサイクルプラの排出が、不可避となってきている。リサイクルプラを排出処分する場合、可燃ごみと一緒に混入するか、リサイクルプラ用ごみ袋やごみ箱等の設置場所迄足を運び、排出処分しなければならなかった。
【課題を解決するための手段】
【０００４】  上方が開口した略四角形の箱体を、少なくとも２個並設し、該並設された箱体には、該箱体の開口に対応した開口穴を有する上蓋が設けられ、該上蓋は、前記並設された箱体の上方から嵌入固定されていることを特徴とするごみ収納箱。
【考案の効果】
【０００５】  上述の様に、少なくとも２個の並設する一対のごみ箱体を設けることにより可燃ごみとリサイクルプラの仕分けができるようになった。叉、少なくとも２つの開口穴を有する上蓋を設けることにより、並設する該箱体の上方から嵌入固定ができると伴に、該箱体内部にごみ捨てを容易にする役をするビニール袋を挿入し、挿入した箱体上部縁辺にビニール袋の端部が掛止される際、ビニール袋の醜い袋の端部を上蓋の嵌入により覆い隠してくれると伴に、ビニール袋を収納箱に定着させることができる。ビニール袋を使用しても、美観的な問題も無く、身近に置けるごみ仕分け収納箱として使用できる。
【図面の簡単な説明】
【０００６】
【図１】  本考案の実施例を示す分解斜視図。
【図２】  本考案の実施例を示す斜視図。
【図３】  本考案の実施例を示す断面図。
【図４】  本考案の実施例を示す拡大断面図。
【考案を実施するための形態】
【０００７】  少なくとも２種類のごみを仕分けできる機能を持つ収納箱を設けるための条件は、場所を極力とらないことと、ごみ収納箱が整然と並設し易い形が要求される。それには略四角形状のものを採用した既製のごみ収納箱は丸形が多く、丸形のデメリットは並設しにくいことと、並設した際箱の間に無駄なスペースができることと、観た目スッキリ感がない等の不具合な点が考えられる。
その点、並設し易く、場所とりの無駄がないのは、略四角形状のもので、少なくとも２個並設した箱体の上方より嵌入する上蓋も略四角形状のものでスッキリ感とシンプルな形状が採用可能となる。
【実施例】
【０００８】  以下、図面に沿って説明する。２つのごみ収納箱２、２は、略四角形状で、上方が開口穴５、５を有し、上方より上蓋１が嵌入固定されている。この上蓋１は前記した２個のごみ収納箱２、２の開口穴５、５に対応した２つの開口穴３、３が形成されている。【０００９】  前記上蓋１には、２つの開口穴３、３を仕切るようにリブ４が設けられている。そしてこの上蓋１にはこのリブ４を含めて、ごみ収納箱２、２の開口穴５、５の外周を囲むように額縁１０、１０が設けられている。
この額縁１０、１０がごみ収納箱２、２に嵌入されることで、ごみ収納箱２、２と上蓋１とが固定されて一体化されることとなる。【００１０】  図４に示す通りごみ収納箱２、２の内部にごみ捨てを容易にできるビニール袋６、６を挿入し挿入したビニール袋６、６の上部端部をごみ収納箱２、２の上部縁辺に掛止したとき、ビニール袋６、６の端部がごみ収納箱の外にはみ出て、醜く見えるが上蓋１を２個のごみ収納箱２、２の上方より嵌入することにより、ビニール袋６、６の端部が覆い隠され、美観上の問題もなくなり、身近に置けるごみ収納箱として使用できる。
【符号の説明】
【００１１】  １    ２個のごみ収納箱の共通の上蓋
２    ごみ収納箱
３    上蓋の開口部
４    上蓋の中央部で上蓋を仕切るリブ
５    ごみ収納箱の開口部
６    ビニール袋
１０    額縁
【図１】
0003210784.tif 000003
【図２】
0003210784.tif 000004
【図３】
0003210784.tif 000005
【図４】
0003210784.tif 000006
(57)【要約】【課題】本考案はビニールハウスの窓用ビニールの開閉機構に関する動作が優れた換気装置を提供する。【解決手段】本考案はビニールハウス１の窓用ビニール７を開閉する装置であって２本の巻上げロープ２と巻下げロープ３を個別に設け、モーター部５の動作によって、窓用ビニール７をビニール巻パイプ６に巻取り又は巻戻しビニール７で解放部（窓）１０を開閉、同時にモーター部５が連動して動作する換気装置である。【選択図】図１
0003210790.tif 000002
【実用新案登録請求の範囲】
【請求項１】
ビニールハウスの窓用ビニールの開閉機構において、
ビニールを巻き取る棒状のビニール巻パイプ６の端部が出力軸２５でモーター部５と連結され、このモーター部５は、スライド部３１によってガイド支柱１１に上下にスライド自在であって、前記ガイド支柱１１の上端に固定された巻上げロープ２と下端に固定された巻下げロープ３が、前記ビニール巻パイプ６に設けたロープ巻パイプ４に同一巻方向で巻かれてその端部が固定ピン２３，２４で固定されており、前記モーター部５の作動により、巻上げロープ２、巻下げロープ３の２本の個別のロープで、窓用ビニールを開閉できることを特徴とするビニールハウスの換気装置。
【考案の詳細な説明】
【技術分野】
【０００１】    本発明はビニールハウスの換気装置に関する。
【背景技術】
【０００２】  ビニールハウス内の温度、湿度管理は窓用ビニールの解放部の開閉幅を変えることで適度な温度、湿度のもとで植物を育成ができることが知られている。（例えば、参考文献１参照）
【先行技術文献】
【特許文献】
【０００３】
【特許文献１】特開２００９−２７３３８９  公報
【考案の概要】
【考案が解決しようとする課題】
【０００４】  特許文献１に、「ビニールハウスの側面又は屋根面の開口部Ｂを開閉するビニールハウスの換気装置において、上記シャフト３に鼓形状のボビン５を結合し、このボビン５の外周に上記透明シート４と並列に配置したワイヤ６を巻きつけ、更に上記ワイヤ６の一端をビニールハウスＡの上部と下部に固定したことを特徴とするビニールハウスの換気装置」「ボビン本体の外周にリブ１０、突起１１又は摩擦材１２からなるワイヤ６のすべり止め機構を施している。」ことが記載されている。この文献１の特許は、１本のワイヤ６をボビン５に数回巻きつける方法であって、ボビン上でワイヤが滑る欠陥を補うため滑り止め機構を必要としている。
本考案はこの欠陥の課題を解決するものである。
【課題を解決するための手段】
【０００５】  前記の課題を解決するため、本考案は、ビニールハウスの窓用ビニールの開閉機構において、ビニールを巻き取る棒状のビニール巻パイプ６の端部に出力軸２５でモーター部５が連結され、このモーター部５は、モーター部５に備えたスライド部３１によって、支柱１１に上下移動自在であって、前記支柱１１の上端に固定された巻上げロープ２と下端に固定された巻下げロープ３が、前記ビニール巻パイプ６に設けたロープ巻パイプ４に同一巻方向で巻かれてその端部が固定ピン２３，２４でロープ巻パイプ４に固定されており、前記モーター部５の作動により、ロープ２、３を巻取パイプに巻込み又は巻戻して窓用ビニールを開閉する、２本の個別のロープで窓用ビニールを開閉できることを特徴とするビニールハウスの窓用ビニールの換気装置とする。
【考案の効果】
【０００６】    巻上げロープ２と巻下げロープ３の２本のロープを、ロープ巻パイプ４に個別に固定して設けたので、ロープ巻パイプ４上でスリップすることもなく、特別な滑り止め機構を必要としない。
【図面の簡単な説明】
【０００７】
【図１】本考案のビニールハウスの換気装置の全体を示す図面である。
【図２】ビニールハウスの換気機構の巻上下げ機構の詳細図である。
【考案を実施するための形態】
【０００８】  本考案の実施の形態を、図を用いて詳細に説明する。
本考案は、ビニールハウス１の横壁相当の一部を換気用の開口窓１０として、この窓を覆う窓用ビニール７を上下に開閉して換気量を調節する装置である。
【０００９】  ビニールハウスの端にガイド支柱１１を起立して設け、このガイド支柱１１にスライド部３１によって上下移動自在にモーター部５を設ける。モーター部の出力軸２５にビニール巻パイプが連結され、取り付けた電動の回転駆動装置を介して回転する。モーター部５の動作により、窓用ビニールをビニール巻パイプに巻込み又は巻戻しして開口窓１０を開閉するものである
【実施例】
【００１０】  ビニールハウスは、図１、図２に示すように構成されている。換気用の開口窓１０は、窓用ビニール７が上下に移動することによって開閉する。
窓用ビニール７の上端は横上フレーム４１で固定されて、下端は長尺の棒状のビニール巻パイプ６に巻かれている。
巻上げロープ２は、上端がガイド支柱１１の上部に設けられた上ロープ固定アーム２１に固定され、下方はビニール巻パイプを貫通して設けられたロープ巻パイプ４に巻かれて端部は上ロープ固定ピン２３でロープ巻パイプ４に固定されている。【００１１】  巻下げロープ３は、下端がガイド支柱１１の下部に設けられた下ロープ固定アーム２２固定され、上方はロープ巻パイプ４に巻かれて端部は下ロープ固定ピン２４でロープ巻パイプ４に固定されている。
巻上げロープ２と巻下げロープ３のロープ巻パイプ４への巻方向は同一であって、図の例では、モーター部が右回転（時計方向）したとき、巻上げロープ２がロープ巻パイプ４に巻き取られ、窓用ビニール７が巻き取られて開口窓１０が開口し、モーター部が左回転（反時計方向）したとき巻下げロープが巻き取られて開口窓１０が閉口する。【００１２】  前記モーター部５の作動により、ビニール巻パイプに、巻上げロープ２、巻下げロープ３の巻取巻き戻しの長さで、開口窓１０の開放幅が定まる。【００１３】  このように、無理な労力を要せずに、希望する開口幅を決めることができ、開放部から外気を取り入れることができハウス内の温度、湿度が変化する。【００１４】  ビニールハウス内の温度・湿度管理は人力作業で労力と時間がかかり大きな労働的負担がある。本装置を含め、太陽パネル・温度センサー・動力（モータ）の機能を活用した装置で人力作業がなくなり労働力が軽減する。
【符号の説明】
【００１５】  １  ビニールハウス
２  巻上げロープ
３  巻下げロープ
４  ロープ巻パイプ
５  モーター部
６  ビニール巻パイプ
７  窓用ビニール
８  ハウスビニール
９  ハウスフレーム
１１  ガイド支柱
１０  開放窓
２１  上ロープ固定アーム
２２  下ロープ固定アーム
２３  上ロープ固定ピン
２４  下ロープ固定ピン
２５  出力軸
３１  スライド部
４１  横上フレーム
４２  横下フレーム
【図１】
0003210790.tif 000003
【図２】
0003210790.tif 000004